(57)【要約】【課題】クーポンの行使に伴う個人情報等の漏洩を効果的に防止することができるクーポン情報の処理システムを提供する。【解決手段】クーポン情報処理システムは、ユーザのＩＤ情報、クーポンのＩＤ情報および当該クーポンを発行した店舗のＩＤ情報を送信可能な車載機器（１）と、車載機器（１）から送信されたＩＤ情報を受信すると、これを２次元バーコードに変換して車載機器（１）に返送するセンター装置（２）と、２次元バーコードを表示可能な携帯端末（３）と、を含み、車載機器（１）はセンター装置（２）から返送された２次元バーコードを受信すると、これを携帯端末（３）に送信し表示させる。【選択図】図１
2008041053.tif 000002
【特許請求の範囲】
【請求項１】
ユーザのＩＤ情報、クーポンのＩＤ情報および当該クーポンを発行した店舗のＩＤ情報を送信可能な車載機器と、
前記車載機器から送信された前記ＩＤ情報を受信すると、これを２次元バーコードに変換して前記車載機器に返送するセンター装置と、
前記２次元バーコードを表示可能な携帯端末と、を含み、
前記車載機器は前記センター装置から返送された前記２次元バーコードを受信すると、これを前記携帯端末に送信し表示させることを特徴とする、クーポン情報処理システム。
【請求項２】
請求項１に記載のクーポン情報処理システムにおいて、さらに、前記２次元バーコードの読取り手段を備えた店舗装置を含み、当該店舗装置は前記携帯端末に表示された前記２次元バーコードを読み取って読取り情報を前記センター装置に送信することを特徴とする、クーポン情報処理システム。
【請求項３】
請求項２に記載のクーポン情報処理システムにおいて、前記センター装置は、前記店舗装置から送信された前記２次元バーコードの読取り情報を受信すると、受信情報をデータベースに登録することを特徴とする、クーポン情報処理システム。
【請求項４】
請求項３に記載のクーポン情報処理システムにおいて、前記センター装置は、前記店舗装置から送信された前記２次元バーコードの暗号化された読取り情報を受信すると、前記センター装置にて暗号解読することを特徴とする、クーポン情報処理システム。
【請求項５】
請求項１乃至４の何れか１項に記載のクーポン情報処理システムにおいて、前記センター装置は前記車載機器から受信した前記ＩＤ情報のうち少なくともユーザＩＤを暗号化して２次元バーコード化し、前記車載機器に返送することを特徴とする、クーポン情報処理システム。
【請求項６】
ユーザのＩＤ情報、クーポンのＩＤ情報および当該クーポンを発行した店舗のＩＤ情報を含むＩＤ情報をセンター装置に送信するための手段と、
前記センター装置で２次元バーコードに変換された前記ＩＤ情報を受信する受信手段と、
前記受信手段により受信した２次元バーコードを携帯端末に送信するための手段と、を備える車載機器。
【請求項７】
請求項６に記載の車載機器において、前記受信手段により受信した２次元バーコードは少なくともユーザＩＤを暗号化してあることを特徴とする、車載機器。
【発明の詳細な説明】
【技術分野】
【０００１】
本発明は、車載機器に連動して利用可能なクーポン情報処理システムおよびこのようなシステムに使用可能な車載機器に関する。
【背景技術】
【０００２】
カーナビゲーション装置の普及に伴い、この装置に種々のサービスを組み込み、ユーザのドライブをより快適にしようとする試みが為されている。特に、ドライブの経路上にあるレストランなどの種々の施設に関する広告、あるいは広告に付属する特典情報（以下、クーポン情報）をナビゲーション装置上に適宜表示し、ドライバがドライブ中にそれらを利用できるようにすることが行われている。例えば、特許文献１に記載の発明では、カーナビゲーションシステムのモニタ上に自車位置に関連した広告情報を自動的に表示させることにより、ドライブ中にユーザが利用可能な広告情報を提供するようにしている。特許文献２に記載の発明では、施設の宣伝広告などに２次元バーコードとして印刷された当該施設の位置を示す座標データなどを、ナビゲーション装置などでこのコードを読み取ることによってその施設が目的地として設定されるようにしている。
【０００３】
特許文献３に記載の発明では、ナビゲーション装置において、検索条件にあった施設をクーポン情報と共に表示するようにしている。特許文献４に記載の発明では、取得した広告情報に含まれる位置情報を抽出して、これをナビゲーションのための目的地として設定でき、その情報を外部発信して広告利用を把握できるようにしている。特許文献５に記載の発明では、ナビゲーションの経路で利用できる電子クーポンを記憶させ、このクーポン情報を携帯手段に転送することによりユーザがクーポンを利用できるようにしている。なお、クーポン情報に関するものではないが、受信した２次元バーコードを表示する機能を有する携帯電話に関しては、特許文献６にその開示がある。
【０００４】
【特許文献１】特開２００１−２８０９８１
【特許文献２】特開２００１−３３２６５
【特許文献３】特開２００４−８５４９６
【特許文献４】特開２００２−２１３９７５
【特許文献５】特開２００４−２７９２９９
【特許文献６】特開２００２−１１１８０９
【発明の開示】
【発明が解決しようとする課題】
【０００５】
上記のように、ドライブをより快適にするために、ドライブの経路上で利用可能な施設の広告およびクーポンに関する情報をユーザに自動的に提供し、かつクーポン情報を携帯電話などに転送して表示させることにより、ユーザがそのクーポンを利用できるようにしたシステムが既に開発されている。この場合のクーポンは、通常、携帯電話に表示された画像としてユーザに提供され、ユーザがこの画像を店舗に持参し店員に見せることによって、クーポンの特典を受けることができる。
【０００６】
しかしながら、このような既存のクーポン利用システムでは、ユーザが単に店舗で携帯電話に表示されたクーポンを提示して特典を受けることのみが可能であって、ユーザあるいは店舗側に対してそれ以上のサービスを提供するものではない。即ち、ユーザのクーポン利用をＧ−ＢＯＯＫ（登録商標）などの車載機器向けのコンテンツサービスに反映させたり、あるいは店舗側がユーザのクーポン利用をデータベース化して商品開発に利用し、あるいはより有効な広告配信方法の開発に結びつけたりするサービスは提供されていない。これは、このようなサービスを提供する上で、ユーザの個人情報あるいは個々の店舗のＩＤ情報の取り扱いが難しいためである。
【０００７】
本発明は、従来のクーポン利用システムにおける上記のような問題点を解決する目的でなされたものであり、ユーザあるいは店舗の個人情報を保護しながら、クーポンの利用状況を有効に把握することが可能な、クーポン情報処理システムおよび車載機器を提供することを課題とする。
【課題を解決するための手段】
【０００８】
上記課題を解決するために、本発明のクーポン情報処理システムは、ユーザのＩＤ情報、クーポンのＩＤ情報および当該クーポンを発行した店舗のＩＤ情報を送信可能な車載機器と、前記車載機器から送信された前記ＩＤ情報を受信すると、これを２次元バーコードに変換して前記車載機器に返送するセンター装置と、２次元バーコードを表示可能な携帯端末と、を含み、前記車載機器は前記センター装置から返送された前記２次元バーコードを受信すると、これを前記携帯端末に送信し表示させるように構成されている。
【０００９】
前記システムは、さらに、前記２次元バーコードの読取り手段を備えた店舗装置を含み、当該店舗装置は前記携帯端末に表示された前記２次元バーコードを読み取って読取り情報を前記センター装置に送信するようにしても良い。また、前記センター装置は、前記店舗装置から送信された前記２次元バーコードの読取り情報を受信すると、受信情報をデータベースに登録するようにしても良い。さらに、前記センター装置は前記車載機器から受信した前記ＩＤ情報のうち少なくともユーザＩＤを暗号化して２次元バーコード化し、前記車載機器に返送するようにしても良い。
【発明の効果】
【００１０】
上記本発明のクーポン情報処理システムでは、ユーザＩＤ、店舗のＩＤ、クーポンＩＤなどの、個人情報として保護すべき情報がセンター装置において一括して２次元バーコード化され、２次元バーコード化されたものがユーザが携帯する携帯端末上で表示されるため、他人がこれらのＩＤを見ることはできない。一方、店舗側では、例えば２次元バーコードと同時に表示されたクーポン画像によって、あるいは２次元バーコードをセンター装置側に送信してそのコード中に含まれるクーポン情報を得ることにより、ユーザにクーポンによる特典を与えることができる。また、センター装置側では、送信された２次元バーコードの内容をデータベースに登録することにより、ユーザポイントの累積などの利点を得ることができる。
【００１１】
このように、本発明のクーポン情報処理システムでは、ＩＤ情報の管理がセンター装置で一括して行われるため、クーポンによる特典行使に当たって個人情報の漏洩はないが、一方で、ユーザのクーポン利用状況をデータベース化することが可能であるため、ユーザの種々のコンテンツ利用が促進され、また店舗側にとってもこのようなデータベースを商品開発あるいは広告配信方法の改善に利用することができるので、大変有用である。なお、センター装置で、少なくともユーザＩＤを暗号化しその上で２次元バーコードに変換することによって、さらに堅固に情報の漏洩を防ぐことができる。勿論、その他のＩＤ情報を同時に暗号化し２次元バーコード化しても良い。
【発明を実施するための最良の形態】
【００１２】
図１は、本発明の一実施形態に係るクーポン情報処理システムの概略構成を示すブロック図である。本システムは、例えばカーナビゲーション装置である車載機器１と、この車載機器１と無線通信によってあるいはインターネットを介してデータの送受信が可能なセンター装置２と、車載機器１から送信される２次元バーコードを受信して表示することが可能な、例えば携帯電話である携帯端末３と、クーポンを利用可能な店舗に設置され、センター装置２と通信可能な店舗装置４とを備えている。センター装置２は付属のデータベース５を備えている。このデータベース５はセンター装置２に内蔵されていても、あるいはセンター装置２に対してオフサイトであっても良い。データベース５は、ユーザデータベース、店舗データベース、クーポンデータベース、店舗向けのウエブデータおよびＧ−ＢＯＯＫ（登録商標）などのコンテンツサービスデータを含んでいても良い。
【００１３】
車載機器１は、センター装置２、携帯端末３との間の通信を実現するための通信部１０と、カーナビゲーションの機能を実現するためのカーナビゲーション部１２、およびデータベース部１４を備えている。通信部１０は、センター装置２との間でデータの送受信を行う機能と、Ｅメール、Ｂｌｕｅｔｏｏｔｈ（登録商標）、ＩｒＤＡなどによって携帯端末３にデータを送信する機能を備えている。カーナビゲーション部１２は、一般的なナビゲーション機能と、地図、広告情報などを表示モニタ上に描画する機能、カーナビゲーションに当たってのユーザの種々の処理操作を入力するための操作系機能（入力）、データ制御機能、クーポンデータの保存機能、自身の携帯電話の番号などユーザの設定情報を保存するための機能を備えている。
【００１４】
車載機器１のデータベース１４は、地図データベースおよびクーポン情報を保存するデータベースを含んでいる。車載機器１は、必要に応じてセンター装置２と通信しデータの送受信を行う他、定期的にセンター装置２と通信し広告情報を取得している。取得した広告情報のうち、少なくともクーポンデータはデータベース１４に保持される。なお、データベース１４は、例えばナビゲーション装置に内蔵されたハードディスク（ナビＨＤＤ）で構成されている。
【００１５】
センター装置２は、ウエブページを介して登録要求のあった店舗をシステムに新たに登録する店舗登録機能、店舗広告データを予め登録された車載機器に配信する店舗広告データ配信機能、車載機器から受け付けた検索要求に対して付属のデータベースを検索する該当店舗検索機能、暗号作成／解読機能および２次元バーコード作成機能を有している。携帯端末３は、例えば携帯電話あるいはＰＤＡであって、２次元バーコードの描画機能と車載機器１からＥメール、Ｂｌｕｅｔｏｏｔｈ（登録商標）、ＩｒＤＡなどを介してデータを受信する機能を備えている。店舗装置４は、クーポンを発行した店舗、あるいはクーポンが利用可能な店舗に備えられ、クーポンデータの作成および／または表示機能、センター装置２との間でデータの送受信を行う通信機能、および携帯端末３に表示された２次元バーコードの読取り機能を有している。
【００１６】
図２は、図１に示すクーポン情報処理システムの動作説明のためのタイムチャートである。以下に、図２を参照して本発明に係るシステムの構成ならびにその動作について説明する。まず、ユーザ操作によって車載機器１がクーポンの取得トリガを生成すると（ステップＳ１）、車載機器１は自身のデータベース１４から、ユーザＩＤ、ステップＳ１で指定されたクーポンを発行する店舗のＩＤおよびクーポンＩＤを取得する（ステップＳ２）。なお、取得するクーポンの情報については、車載機器１がセンター装置２と定期的に通信して予め取得し、自身のデータベース１４内に格納している。予め取得しているクーポン情報の内容として、店舗ＩＤ、店舗名、店舗の住所、電話番号、クーポンＩＤ、クーポン内容、クーポンの画像、有効期限、その店舗の詳細地図などがある。
【００１７】
ステップＳ２で取得されたユーザＩＤ、店舗ＩＤおよびクーポンＩＤは、ステップＳ３でセンター装置２に送信される。センター装置２では受信した各ＩＤ情報に基づいて２次元バーコードを生成する（ステップＳ４）。なお、２次元バーコードの作成に当たって、ユーザＩＤ、店舗ＩＤ、クーポンＩＤを暗号化し、暗号化したものについて２次元バーコードを作成しても良い。２次元バーコードとは、代表的なものとして、ＱＲコード、ＰＤＦ４１７、ＤａｔａＭａｔｒｉｘ、ＭａｘｉＣｏｄｅなどがある。例えば、ＱＲコード（登録商標）とは、デンソーウエーブ社によって開発された２次元マトリックスコードの一種であって、従来のバーコードの数十倍から数百倍の情報量を扱うことができるという、顕著な特徴を有している。ステップＳ４で作成された２次元バーコードは、データベース５に登録される。
【００１８】
センター装置２で作成された２次元バーコードは、ステップＳ５において車載機器１に送信される。車載機器１が２次元バーコードを受信すると、自身のデータベース１４から予め登録されている携帯端末、例えば携帯電話のアドレスとクーポンの詳細情報とを取得する（ステップＳ６）。クーポンの詳細情報とは、例えば、店舗名、住所、電話番号、クーポン内容、有効期限などである。ステップＳ６で取得された情報は、２次元バーコードと共に、取得されたアドレスを有する携帯端末３に送信され（ステップＳ７）、携帯端末３においてテキスト情報として表示される（ステップＳ８）。
【００１９】
なお、ステップＳ７で車載機器１から携帯端末３に送信される情報、およびステップＳ８で携帯端末３において表示される情報は最低限２次元バーコードのみでよいが、ユーザがクーポン内容を確認しやすいように、上述したクーポンの詳細情報をテキストデータで２次元バーコードと共に携帯端末３に送信し、表示しても良い。あるいは、クーポンの画像データを２次元バーコードと共に送信し、表示するようにしても良い。
【００２０】
携帯端末３にクーポンの２次元バーコードが表示されると、ユーザはこの携帯端末３をクーポンを行使しようとする店舗に持っていく。店舗側では、店舗装置４によって携帯端末３に表示された２次元バーコードを読取り（ステップＳ９）、読取りデータをセンター装置２に送信する（ステップＳ１０）。センター装置２では、送信されたデータをデータベース５に格納されたデータと照合し（ステップＳ１１）、送信されたデータが正確か否かを判定する（ステップＳ１２）。具体的には、ステップＳ１２において、ユーザ認証およびクーポン情報のデータ照合を行う。ユーザ名が認証され、クーポン情報がクーポンデータベースに登録された内容と一致した場合（ステップＳ１２のＹＥＳ）、ユーザポイントの保存などをデータベースの、例えばＧ−ＢＯＯＫ（登録商標）、あるいはユーザデータベース内に積算する（ステップＳ１３）と共に、その結果を店舗装置４に送信する（ステップＳ１４）。店舗装置２では、積算されたユーザポイントなどと共にユーザのクーポン情報を表示し（ステップＳ１５）、ユーザにクーポンの特典を与える。
【００２１】
一方、ステップＳ１１で行われたデータ照合の結果、送信されたデータが、例えばＧ−ＢＯＯＫ（登録商標）あるいはユーザデータベースの内容と一致しない場合（ステップＳ１２のＮＯ）、あるいはクーポンＩＤ、店舗ＩＤがクーポンデータベースの内容と一致しない場合、その結果が店舗装置４に送信され、店舗装置４においてエラー情報の表示が行われる（ステップＳ１６）。この結果、ユーザはクーポンの特典を行使することができなくなる。このような場合は、例えば、携帯端末３が盗まれたものであって正当なユーザによってセンター装置２に既にそのことが通知され、携帯端末の２次元バーコードに含まれるユーザＩＤが既に無効とされていた場合に発生する。あるいは、クーポンの有効期限が切れていた場合などでも発生する。
【００２２】
なお、センター装置２においてユーザＩＤ、店舗ＩＤ、クーポンＩＤを２次元バーコード化する場合、各ＩＤ情報が暗号化され、暗号化されたものについて２次元バーコード化されていた場合には、これらの情報を暗号化したセンター装置２においてのみ２次元バーコードを解読可能である。したがって、これらのＩＤ情報はセンター装置２においてＩＤ情報が一括管理されるようになり、情報の漏洩に対して強固なシステムを提供する。特に、これらのＩＤ情報を、Ｇ−ＢＯＯＫ（登録商標）あるいはその他のコンテンツで利用する場合の情報漏洩に対して、より安全なシステムを提供することができる。
【００２３】
なお、ＩＤ情報の暗号化は全てのＩＤ情報に対して行っても良いが、少なくともユーザＩＤに対して暗号化することによってその効果がある。また、図２のシステムでは示していないが、携帯端末上にクーポン情報をテキスト情報で２次元バーコードと共に表示し、あるいはクーポン画像を２次元バーコードと共に表示した場合は、ユーザが例えばポイントの累積を望まなければ、携帯端末３を店員に見せることによって店員にクーポン情報を確認させ、クーポンの特典が得られるようにしても良い。さらに、図２のステップＳ１からステップＳ７を繰り返して行って、複数のクーポン情報について複数の２次元バーコードを作成し、それを一括して携帯端末に送るようにしても良い。あるいは、２次元バーコードの作成毎に携帯端末に送信し、携帯端末で複数の２次元バーコードを蓄積するようにしても良い。
【００２４】
図３は、図２のステップＳ１におけるクーポン取得トリガを生成するための、車載機器１とセンター装置２における動作ステップを示すフローチャートである。まず、ナビゲーション装置などの車載機器１において、例えばＩＧスイッチをオンとすることにより当該機器がオンとなると（ステップＳ３１）、表示画面上に地図が表示される（ステップＳ３２）。さらに、車載機器１に事前に設定されていた施設の情報を表示するための設定が起動され（ステップＳ３３）、クーポン付き店舗情報の要求が取得範囲の設定と共にセンター装置２に送信される（ステップＳ３４）。なお、ステップＳ３３での設定は、全ての施設のジャンルにおいてまたはレストラン、ブックセンターなどの特定の施設のジャンルに対して設定可能である。取得範囲の選択は、全てあるいは設定されたジャンルのいずれでも良い。
【００２５】
センター装置２が車載機器１よりクーポン付き店舗情報の要求を受信すると、センター装置２は付属のデータベース５から該当店舗の検索を行い（ステップＳ３５）、その結果を車載機器２に送信する（ステップＳ３６）。送信データには例えば、店舗座標、クーポン内容が含まれる。車載機器１は、センター装置２からの送信データを受信すると、店舗座標データおよびクーポン内容データに基づいて、地図上に施設アイコンを表示し（ステップＳ３７）、かつクーポン付き店舗マークを表示する（ステップＳ３８）。
【００２６】
このようにして、表示画面上にクーポン付き店舗マークが表示されると、ユーザは興味のある店舗のマークを、カーソルあるいはタッチスイッチにより押下する（ステップＳ３９のＹＥＳ）。これによって、その店舗のクーポン内容の詳細が表示される（ステップＳ３００）。ユーザは表示内容を確認し、クーポンを取得しようとする場合は、クーポン取得釦を押下する（ステップＳ３０１のＹＥＳ）。これによって、図２のクーポン取得トリガが発生する。なお、ステップＳ３９およびステップＳ３０１でＮＯの場合は、ステップＳ３０２に進む。
【００２７】
図４は、走行中の車両内でユーザが予め設定した条件を満たす店舗を発見した場合に、どのようにして図２のステップＳ１におけるクーポントリガが発生するのかを示すフローチャートである。まず、ナビゲーション装置などの車載機器１を起動する前に、ユーザは予め取得したいクーポンのジャンル、表示タイミングなどを設定しておく。例えば、ジャンルとしてレストランを、クーポンの取得タイミングとして車両がクーポン行使が可能な店舗の半径１ｋｍ以内に近づいた場合を設定する（ステップＳ４１）。次に車載機器１のナビゲーション機能を起動すると（ステップＳ４２）、車載機器１がクーポン付き店舗情報の送信要求をセンター装置２に送信し（ステップＳ４３）、センター装置２において該当店舗の検索が行われる（ステップＳ４４）。検索結果は、センター装置２から車載機器１に送信され（ステップＳ４５）、車両の走行中において（ステップＳ４６）、設定条件を満たす店舗があると（ステップＳ４７のＹＥＳ）、車載機器１はセンター装置２に条件を満たす店舗の情報要求を送信する（ステップＳ４８）ので、その店舗で使用可能なクーポン内容に関する情報が、センター装置２から車載機器１に送信される（ステップＳ４９）。
【００２８】
センター装置２から送信されたクーポン内容のデータは、車両が走行中であるため、車載機器１が音声でユーザに案内する（ステップＳ４００）。これと同時に、モニタ画面の定位置に「クーポン取得」釦が表示され（ステップＳ４０１）、ユーザが表示されたクーポン取得釦を押下すると（ステップＳ４０２のＹＥＳ）、図２のステップＳ１に示すクーポン取得トリガが生成される。ステップＳ４０２でＮＯの場合は、ステップＳ４０３に進む。
【００２９】
以上のように、車両が走行中の場合は、予め設定した条件を満たす店舗が発見された時点で、自動的にクーポン情報の提供が行われるので、ユーザは容易にクーポン取得トリガを形成することができる。
【００３０】
図５は、店舗をセンター装置２に登録する場合の動作手順を示すフローチャートである。店舗装置４では、オペレータあるいは店員が店舗装置４のブラウザを操作することにより（ステップＳ５１）、インターネットを介してセンター装置２のウエブ（Ｗｅｂ）ページにアクセスする（ステップＳ５２）。このアクセスによって、センター装置２は、自身のウエブページのデータを店舗装置４に送信する（ステップＳ５３）。店舗装置４では、ウエブページのデータにしたがって、店舗情報登録の入力操作を行い（ステップＳ５４）、これをセンター装置２に送信する（ステップＳ５５）。ステップＳ５５で登録のために入力する店舗情報とは、例えば店舗名、店舗の住所、電話番号などを含む。店舗装置４から店舗情報が送信されると、センター装置２は送信されてきたデータに入力ミスがないかどうかを判定し（ステップＳ５６）、入力ミスがある場合（ステップＳ５６のＮＯ）はその結果を店舗装置４に返してエラー表示させ（ステップＳ５７）、店舗装置４のオペレータにデータの再入力を促す。
【００３１】
ステップＳ５６で入力データにミスがないと判断されると（ステップＳ５６のＹＥＳ）、店舗装置４に店舗ＩＤを割り振り（ステップＳ５８）、店舗情報を付属のデータベース５に保存する（ステップＳ５９）。さらに、店舗装置４に割り振った店舗ＩＤとパスワードを店舗装置４に送信し（ステップＳ５００）、店舗装置４の登録を完了する（ステップＳ５０１）。
【００３２】
図６は、店舗側が店舗装置４を操作して新たなクーポン情報をセンター装置２に登録するための動作ステップを示すフローチャートである。店舗装置４のオペレータは店舗装置を操作して（ステップＳ６１）、センター装置２のウエブページにアクセスする（ステップＳ６２）。センター装置２はこのアクセスに応答して自身のウエブページのデータを店舗装置４に送信する（ステップＳ６３）。店舗装置のオペレータは、送信されたデータにしたがって予め登録されている店舗ＩＤ、パスワードを入力し（ステップＳ６４）、センター装置２に送信する（ステップＳ６５）。センター装置２は、受信したパスワードが正しいか否かを判定し（ステップＳ６６）、正しくない場合（ステップＳ６６のＮＯ）、その結果を店舗装置４に送信し店舗装置４側でエラー表示させる（ステップＳ６７）。店舗装置４のオペレータはエラー表示にしたがって再度店舗ＩＤ、パスワードの入力を試みる（ステップＳ６４）。
【００３３】
送信された店舗ＩＤ、パスワードがステップＳ６６において正しいものであると認定されると（ステップＳ６６のＹＥＳ）、センター装置２は店舗装置４にクーポン情報入力画面のデータを送信し（ステップＳ６８）、店舗装置上に表示させる（ステップＳ６９）。店舗装置４のオペレータは画面に表示された案内に従って、登録しようとするクーポン情報、例えばクーポンの内容、クーポン券の画像、有効期限などを入力し（ステップＳ６００）、入力が終了するとそのデータをセンター装置２に送信する（ステップＳ６０１）。センター装置２では、送信されたクーポン情報を付属のデータベース５の、例えばクーポンデータベースに保存し（ステップＳ６０２）、クーポン登録を完了する（ステップＳ６０３）と共にクーポン登録の完了情報を店舗装置４側に送信し、その旨を表示させる（ステップＳ６０４）。これによって、新たなクーポン情報がセンター装置２に登録される。
【図面の簡単な説明】
【００３４】
【図１】本発明にかかるクーポン情報処理システムの概略構成を示すブロック図。
【図２】図１に示すクーポン情報処理システムの動作ステップを示すためのフローチャート。
【図３】図２に示すクーポン取得トリガを発生させるための手順を示すフローチャート。
【図４】図２に示すクーポン取得トリガを発生させるための他の手順を示すフローチャート。
【図５】店舗を新たなクーポン提供店舗として登録するためのフローチャート。
【図６】新たなクーポン情報を登録するためのフローチャート。
【符号の説明】
【００３５】
１    車載機器
２    センター装置
３    携帯端末
４    店舗装置
５    センター装置のデータベース
【図１】
2008041053.tif 000003
【図２】
2008041053.tif 000004
【図３】
2008041053.tif 000005
【図４】
2008041053.tif 000006
【図５】
2008041053.tif 000007
【図６】
2008041053.tif 000008